(57)【特許請求の範囲】
【請求項１】
回路基板を搭載する搭載部を有するカメラ本体と、
この搭載部を収納するハウジングと、
を備え、
前記搭載部は、一方向の長さの調節が可能であり、
前記ハウジングの前記一方向の一端側を支持する第１支持部材と、
前記第１支持部材と間隔をあけて配置されると共に前記ハウジングの前記一方向の他端側を支持する第２支持部材と、
前記第１支持部材と前記第２支持部材との間隔を調節自在に前記第１支持部材及び前記第２支持部材を相互に連結する連結部材と、を備え、
前記連結部材は、
前記第１支持部材から前記第２支持部材に向かって延出する第１延出部材と、
前記第２支持部材から前記第１支持部材に向かって延出する第２延出部材と、
前記第１延出部材及び前記第２延出部材のいずれか一方に形成される係止部と、
前記第１延出部材及び前記第２延出部材のいずれか他方に形成されて前記係止部に係止される被係止部と、を備え、
前記係止部及び前記被係止部の少なくともいずれか一方は、前記第１支持部材及び前記第２支持部材の間で所定の間隔をあけて複数形成されていることを特徴とする監視カメラ。
【請求項２】
請求項１に記載の監視カメラにおいて、
前記連結部材は、前記回路基板の支持部を更に有することを特徴とする監視カメラ。
【請求項３】
請求項１又は請求項２に記載の監視カメラにおいて、
前記第１支持部材及び前記第２支持部材の少なくともいずれか一方は、前記回路基板の支持部を更に有することを特徴とする監視カメラ。
【請求項４】
請求項１から請求項３のいずれか１項に記載の監視カメラにおいて、
前記ハウジングは、
外筒部と、
前記外筒部に内嵌されてこの外筒部の軸方向に移動自在の内筒部と、
を備えると共に、
前記外筒部及び前記内筒部のいずれか一方は、前記搭載部における前記一方向の一端側に支持され、
前記外筒部及び前記内筒部のいずれか他方は、前記搭載部における前記一方向の他端側に支持されていることを特徴とする監視カメラ。
【発明の詳細な説明】
【技術分野】
【０００１】
本発明は、監視カメラに関する。
【背景技術】
【０００２】
近年、監視カメラは、コンビニエンスストアや銀行のＡＴＭ周辺、路上、駐車場等のように、屋内屋外を問わず様々な場所に設置されている。一般に、監視カメラとしては、撮像レンズユニットと、回路基板等の電子部品の搭載部と、この搭載部を収容することで監視カメラの外観を形成する外装（ハウジング）とを備えるものが知られている（例えば、特許文献１参照）。そして、監視カメラには、その出力する信号形態の違いによって、アナログ型監視カメラとデジタル型監視カメラとがある。
【０００３】
アナログ型監視カメラは、ＣＣＴＶ(Closed Circuit Television)カメラとも呼ばれ、接続された同軸ケーブルを経由してテレビモニターで撮像映像を見ることができると共に、その撮像映像はＶＨＳビデオテープやハードディスクに記録することができる。
【０００４】
デジタル型監視カメラは、ネットワークカメラとも呼ばれ、撮像映像をインターネットやＬＡＮ経由で遠隔地に容易に配信することができる。そして、デジタル型監視カメラは、ネットワークを介して撮像映像をモニターする際に、複数のデジタル型監視カメラの撮像映像を、テレビモニターの一画面を分割して同時に表示することができる。そのため、多数の監視カメラを一箇所の監視センターで一括管理することが容易になる。また、ＰｏＥ(Power over Ethernet（登録商標）)対応のデジタル型監視カメラでは、イーサネット（登録商標）ケーブルを介して電力を供給することができるので、電気配線を設ける必要がない。また、デジタル型監視カメラは、通常は、低い解像度で撮像し、例えば、人や車等の監視対象が映り込んだときにだけ高い画質で撮像するように解像度を自動的に切り替えることができると共に、監視対象が映り込んでいる場面の頭出しをアナログ型監視カメラよりも容易に行うこともできる。
【０００５】
しかしながら、デジタル型監視カメラは、アナログ型監視カメラにも使用される映像信号処理回路、電源回路等に加えて、更に画像データの圧縮、伸張処理等を行うための回路基板を必要とする。また、デジタル型監視カメラは、前記したように、アナログ型監視カメラよりも多様化した機能を発揮させることができる反面、その機能に応じて更に回路基板を追加する必要がある。
その一方で、前記した従来の監視カメラの構造（例えば、特許文献１参照）においては、新たな回路基板を追加することで、ハウジング内に収納可能な所定の回路規模を超えると、ハウジング等を新たに設計し直す必要がある。
【先行技術文献】
【特許文献】
【０００６】
【特許文献１】特開２００６−１４０６７３号公報
【発明の概要】
【発明が解決しようとする課題】
【０００７】
ところが、昨今、デジタル型監視カメラに要求される機能の多様化に伴って、回路規模は益々増大する傾向にある。そのため、従来の監視カメラの構造（例えば、特許文献１参照）では、ハウジング等の設計変更が頻繁となってデジタル型監視カメラの製造コストが増大する恐れがある。
また、前記したように、デジタル型監視カメラは、アナログ型監視カメラよりも回路規模が増大するので、従来の監視カメラの構造（例えば、特許文献１参照）では、アナログ型監視カメラとデジタル型監視カメラとで兼用することができない場合がある。
【０００８】
そこで、本発明の課題は、回路規模が変更されても対応可能な構造の監視カメラを提供することにある。
【課題を解決するための手段】
【０００９】
前記課題を解決した本発明の監視カメラは、回路基板を搭載する搭載部を有するカメラ本体と、この搭載部を収納するハウジングと、を備え、前記搭載部は、一方向の長さの調節が可能であり、前記ハウジングの前記一方向の一端側を支持する第１支持部材と、前記第１支持部材と間隔をあけて配置されると共に前記ハウジングの前記一方向の他端側を支持する第２支持部材と、前記第１支持部材と前記第２支持部材との間隔を調節自在に前記第１支持部材及び前記第２支持部材を相互に連結する連結部材と、を備え、前記連結部材は、前記第１支持部材から前記第２支持部材に向かって延出する第１延出部材と、前記第２支持部材から前記第１支持部材に向かって延出する第２延出部材と、前記第１延出部材及び前記第２延出部材のいずれか一方に形成される係止部と、前記第１延出部材及び前記第２延出部材のいずれか他方に形成されて前記係止部に係止される被係止部と、を備え、前記係止部及び前記被係止部の少なくともいずれか一方は、前記第１支持部材及び前記第２支持部材の間で所定の間隔をあけて複数形成されていることを特徴とする。
【発明の効果】
【００１０】
本発明によれば、回路規模が変更されても対応可能な構造の監視カメラを提供することができる。
【図面の簡単な説明】
【００１１】
【図１】本発明の実施形態に係る監視カメラ（デジタル型監視カメラ）の斜視図である。
【図２】図１に示す監視カメラからハウジングを取り除くと共に、回路基板の搭載部から天板を取り外した際の一部分解斜視図である。
【図３】回路基板の搭載部の斜視図である。
【図４】ハウジングの分解斜視図である。
【図５】アナログ型監視カメラに適用する回路基板の搭載部の斜視図である。
【図６】図５の搭載部に回路基板を搭載した様子を示す斜視図である。
【図７】図６の搭載部にハウジングを組み付ける際の様子を示す斜視図である。
【図８】本発明の監視カメラ（アナログ型監視カメラ）の斜視図である。
【発明を実施するための形態】
【００１２】
以下に、本発明の監視カメラの実施形態について適宜図面を参照しながら詳細に説明する。なお、以下の説明における前後左右上下の方向は、図１に示す監視カメラの前後左右上下の方向を基準とする。
【００１３】
図１に示すように、本実施形態に係る監視カメラ１００は、固定型ビデオカメラ（据え置きカメラ）であって、一方向（図１中、前後方向）に長い略直方体の形状を呈している。ちなみに、図１に示す監視カメラ１００は、デジタル型監視カメラである。
この監視カメラ１００は、その外観がレンズカバー２１と、ハウジング２と、リヤパネル２４とで形成されている。そして、レンズカバー２１内に撮像レンズユニット３が収納されると共に、ハウジング２内にカメラ本体１が収納されている。
なお、図１中、撮像レンズユニット３及びカメラ本体１は、かくれ線（破線）で表している。
ハウジング２は、後に詳しく説明するが、レンズカバー２１寄りに配置される外筒部２２と、リヤパネル２４寄りに配置される内筒部２３とを備えている。
【００１４】
撮像レンズユニット３は、図２に示すように、カメラ本体１の前方に配置されている。この撮像レンズユニット３はその外観が略円柱形状を呈しており、光学系を構成するレンズ群（図示省略）と、このレンズ群の後方に配置される撮像素子（図示省略）とを内蔵している。また、撮像レンズユニット３は、監視カメラ１００のフォーカスや、ズーム、画角等を調整するためのレバー３０を備えている。
ちなみに、撮像レンズユニット３は、図１に示すレンズカバー２１に形成された開口部２１ａ（図１中、かくれ線（破線）で表す）を介して受光することで撮像するようになっている。
【００１５】
カメラ本体１は、図２に示すように、回路基板１５ａ、回路基板１５ｂ、回路基板１５ｃ及び回路基板１５ｄと、これらの回路基板１５ａ，１５ｂ，１５ｃ，１５ｄを搭載する搭載部１０とを備えている。
【００１６】
（回路基板）
回路基板１５ａは、撮像レンズユニット３の撮像素子リード部３１（図３参照）と電気的に接続される映像信号処理回路が形成された基板であり、後記する第１支持板１１（図３参照）の後面側で第１支持板１１と平行に配置されている。ちなみに、回路基板１５ａは、平面視で第１支持板１１よりも小さい略矩形の板体で形成されている。
【００１７】
回路基板１５ｂは、映像信号出力回路及び電源回路が形成された基板であり、後記する第２支持板１２（図３参照）の前面側で第２支持板１２と平行に配置されている。ちなみに、回路基板１５ｂは、平面視で第２支持板１２よりも小さい略矩形の板体で形成されている。
なお、図２中、符号１６は、回路基板１５ｂと電気的に接続された各種端子であり、後記する第２支持板１２の開口部１２ａ（図３参照）を介してリヤパネル２４の外側に臨んでいる。
【００１８】
回路基板１５ｃ及び回路基板１５ｄは、監視カメラ１００の一方向（図２の前後方向）に長い、平面視で長方形状の基板であり、画像データの圧縮・伸張回路等の追加回路が形成された基板である。これらの回路基板１５ｃ及び回路基板１５ｄは、監視カメラ１００の左右両側で一方向（図２の前後方向）に沿うように配置されている。
【００１９】
つまり、本実施形態では、回路基板１５ａ及び回路基板１５ｂが相互に対向し合い、回路基板１５ｃ及び回路基板１５ｄが相互に対向し合っている。
なお、本実施形態での回路基板１５ｃ及び回路基板１５ｄの前後方向の長さは、回路基板１５ａ及び回路基板１５ｂにおける左右方向の長さよりも長く、具体的には２倍以上の長さとなっている。
【００２０】
（搭載部）
搭載部１０は、図３に示すように、第１支持板１１と、第２支持板１２と、連結部材１３と、天板１４とで主に構成されている。なお、第１支持板１１は、特許請求の範囲にいう「第１支持部」に相当し、第２支持板１２は、特許請求の範囲にいう「第２支持部」に相当する。
【００２１】
＜第１支持板＞
第１支持板１１は、略矩形の板体で形成され、その板面が監視カメラ１００（図１参照）の前後方向に直交するように配置されている。
この第１支持板１１は、その周縁に沿うように、撮像レンズユニット３の後端部をこの第１支持板１１に取り付けるための支持部Ｓ１，Ｓ１と、外筒部２２（図１参照）を支持する支持部Ｓ２ａ，Ｓ２ｂ，Ｓ２ｃと、天板１４の前端部をこの第１支持板１１に取り付けるための支持部Ｓ３ａ，Ｓ３ｂとを備えている。
【００２２】
支持部Ｓ１，Ｓ１のそれぞれは、第１支持板１１の上端縁から前方に向かって突出する突出片で形成されており、これらの支持部Ｓ１，Ｓ１には貫通穴Ｈ１，Ｈ１が形成されている。撮像レンズユニット３は、この貫通穴Ｈ１，Ｈ１に挿通される図示しないネジで第１支持板１１に支持されている。また、本実施形態では、図示しないが、第１支持板１１の下端縁からも支持部Ｓ１と同様の突出片が突出しており、この図示しない突出片を介しても撮像レンズユニット３は第１支持板１１に支持されている。
【００２３】
支持部Ｓ２ａは、第１支持板１１の左端縁から後方に向かって突出する突出片で形成されており、この支持部Ｓ２ａにはネジ穴Ｔ１が形成されている。このネジ穴Ｔ１には、後記する外筒部２２の貫通穴Ｈ２（図４参照）及びレンズカバー２１の貫通穴Ｈ３（図４参照）に挿通されるネジＢ１（図１参照）が螺合するようになっている。つまり、レンズカバー２１は、ネジＢ１及びネジ穴Ｔ１を介して第１支持板１１及び外筒部２２（図１参照）に支持されている。
【００２４】
支持部Ｓ２ｂは、図３に示すように、第１支持板１１の左下端から後方に向かって突出し、その先端が上方に屈曲する略Ｌ字状の突出片で形成されている。この支持部Ｓ２ｂには、ネジ穴Ｔ２及びネジ穴Ｔ３が形成されている。そして、ネジ穴Ｔ２には、後記する外筒部２２（図４参照）の下面に形成された図示しない貫通穴に挿通される、図示しないネジが螺合するようになっており、外筒部２２は、この図示しないネジ及びネジ穴Ｔ２を介して第１支持板１１に支持されている。
なお、ネジ穴Ｔ３は、後記するように、アナログ型監視カメラとしての監視カメラ２００（図８参照）を構成する際の、回路基板１５ｅ（図６参照）を支持するために使用される。
【００２５】
支持部Ｓ２ｃは、第１支持板１１の右下端から後方に向かって突出する突出片で形成されている。この支持部Ｓ２ｃには、ネジ穴Ｔ４が形成されている。そして、ネジ穴Ｔ４には、後記する外筒部２２（図４参照）の下面に形成された図示しない貫通穴に挿通される、図示しないネジが螺合するようになっており、外筒部２２は、この図示しないネジ及びネジ穴Ｔ４を介して第１支持板１１に支持されている。
【００２６】
支持部Ｓ３ａは、第１支持板１１の上端縁の左寄りの位置から後方に向かって突出する突出片で形成されており、この支持部Ｓ３ａにはネジ穴Ｔ６が形成されている。このネジ穴Ｔ６には、後記する天板１４の貫通穴Ｈ５に挿通される、図示しないネジが螺合するようになっている。つまり、天板１４は、このネジ及びネジ穴Ｔ６を介して第１支持板１１に支持されている。
【００２７】
支持部Ｓ３ｂは、第１支持板１１の上端縁の右寄りの位置から後方に向かって突出し、その先端が下方に屈曲する略Ｌ字状の突出片で形成されている。この支持部Ｓ３ｂには、ネジ穴Ｔ７及びネジ穴Ｔ８が形成されている。そして、ネジ穴Ｔ７には、後記する天板１４の貫通穴Ｈ１６に挿通される、図示しないネジが螺合するようになっている。つまり、天板１４は、このネジ及びネジ穴Ｔ７を介して第１支持板１１に支持されている。
なお、ネジ穴Ｔ８は、後記するように、アナログ型監視カメラとしての監視カメラ２００（図８参照）を構成する際の、回路基板１５ｅ（図６参照）を支持するために使用される。
【００２８】
このような第１支持板１１の中央部には、撮像レンズユニット３の後端部が臨む開口部１１ａが形成されている。
また、第１支持板１１には、開口部１１ａを後側から覆うように端子板１１ｂが取り付けられている。この端子板１１ｂには、撮像レンズユニット３の撮像素子（図示省略）と電気的に接続される撮像素子リード部３１が設けられている。
また、端子板１１ｂには、前記した回路基板１５ａ（図２参照）を取り付けるためのネジ穴Ｔ１８，Ｔ１８が形成されている。つまり、回路基板１５ａは、ネジ穴Ｔ１８に螺合する図示しないネジで取り付けられることとなる。
そして、回路基板１５ａに設けられた映像信号処理回路等は、端子板１１ｂの撮像素子リード部３１と、例えば半田等を介して電気的に接続される。
【００２９】
＜第２支持板＞
第２支持板１２は、図３に示すように、第１支持板１１と対向するように間隔をあけて配置される略矩形の板体で形成されている。
この第２支持板１２は、その周縁に沿うように、ハウジング２の内筒部２３（図４参照）を支持する支持部Ｓ４ａ，Ｓ４ｂ，Ｓ４ｃ，Ｓ４ｄと、天板１４の後端部をこの第２支持板１２に取り付けるための支持部Ｓ５ａ，Ｓ５ｂとを備えている。
【００３０】
支持部Ｓ４ａは、第２支持板１２の上端縁の中央の位置から前方に向かって突出する突出片で形成されており、この支持部Ｓ４ａにはネジ穴Ｔ９が形成されている。このネジ穴Ｔ９には、後記する内筒部２３（図４参照）の上面に形成された貫通穴Ｈ６（図４参照）に挿通される、図示しないネジが螺合するようになっており、内筒部２３は、この図示しないネジ及びネジ穴Ｔ９を介して第２支持板１２に支持されている。
【００３１】
支持部Ｓ４ｂは、第２支持板１２の左端縁の中央の位置から前方に向かって突出する突出片で形成されており、この支持部Ｓ４ｂにはネジ穴Ｔ１０が形成されている。このネジ穴Ｔ１０には、後記する内筒部２３（図４参照）の左側面に形成された貫通穴Ｈ７（図４参照）に挿通される、図示しないネジが螺合するようになっており、内筒部２３は、この図示しないネジ及びネジ穴Ｔ１０を介して第２支持板１２に支持されている。
【００３２】
支持部Ｓ４ｃは、第２支持板１２の下端縁の中央の位置から前方に向かって突出する突出片で形成されており、この支持部Ｓ４ｃにはネジ穴Ｔ１１が形成されている。このネジ穴Ｔ１１には、後記する内筒部２３（図４参照）の下面に形成された貫通穴Ｈ８（図４参照）に挿通される、図示しないネジが螺合するようになっており、内筒部２３は、この図示しないネジ及びネジ穴Ｔ１１を介して第２支持板１２に支持されている。
【００３３】
支持部Ｓ４ｄは、第２支持板１２の右端縁の中央の位置から前方に向かって突出する突出片で形成されており、この支持部Ｓ４ｄにはネジ穴Ｔ１２が形成されている。このネジ穴Ｔ１２には、後記する内筒部２３（図４参照）の右側面に形成された貫通穴Ｈ９（図４参照）に挿通される、図示しないネジが螺合するようになっており、内筒部２３は、この図示しないネジ及びネジ穴Ｔ１２を介して第２支持板１２に支持されている。
【００３４】
支持部Ｓ５ａは、第２支持板１２の上端縁の左寄りの位置から前方に向かって突出する突出片で形成されており、この支持部Ｓ５ａにはネジ穴Ｔ１３が形成されている。このネジ穴Ｔ１３には、天板１４の貫通穴Ｈ１０に挿通される、図示しないネジが螺合するようになっている。つまり、天板１４は、このネジ及びネジ穴Ｔ１３を介して第２支持板１２に支持されている。
【００３５】
支持部Ｓ５ｂは、第２支持板１２の上端縁の右寄りの位置から前方に向かって突出する突出片で形成されており、この支持部Ｓ５ｂにはネジ穴Ｔ１４が形成されている。このネジ穴Ｔ１４には、天板１４の貫通穴Ｈ１１に挿通される、図示しないネジが螺合するようになっている。つまり、天板１４は、このネジ及びネジ穴Ｔ１４を介して第２支持板１２に支持されている。
【００３６】
そして、第２支持板１２には、この第２支持板１２の内側（図３の前側）に配置される回路基板１５ｂ（図２参照）を取り付けるためのネジ穴Ｔ１９が設けられている。このネジ穴Ｔ１９には、回路基板１５ｂの内側（図２の前側）から挿通される、図示しないネジが螺合することとなる。
また、第２支持板１２には、図３に示すように、端子１６（図２参照）をリヤパネル２４（図２参照）の外側に臨ませるための開口部１２ａが形成されている。
【００３７】
＜連結部材＞
連結部材１３は、第１支持板１１から第２支持板１２に向かって延出する第１延出部材１３ａと、第２支持板１２から第１支持板１１に向かって延出する第２延出部材１３ｂとで構成されている。
第１延出部材１３ａは、前後方向に細長い板体で形成されており、第１支持板１１の下端の略中央部に接続されている。
そして、第１支持板１１と第２支持板１２との間で延びることとなる第１延出部材１３ａには、所定の間隔をあけて複数の貫通穴Ｈ１２が形成されている。第１延出部材１３ａの貫通穴Ｈ１２は、特許請求の範囲にいう「被係止部」に相当する。
ちなみに、本実施形態での貫通穴Ｈ１２は４つ形成されており、図３ではそのうちの１つが後記するネジＢ２で塞がっている。
【００３８】
また、本実施形態での第１延出部材１３ａには、第１支持板１１寄りに、回路基板１５ｃ，１５ｄ（図２参照）を支持するための支持部Ｓ６，Ｓ６が形成されている。
支持部Ｓ６，Ｓ６のそれぞれは、第１延出部材１３ａから左右に張り出すと共に先端が上方に屈曲したＬ字状の突出片で形成されており、これらの支持部Ｓ６，Ｓ６には、ネジ穴Ｔ１５，Ｔ１５が形成されている。ネジ穴Ｔ１５，Ｔ１５には、これらのネジ穴Ｔ１５，Ｔ１５に対応する位置で、回路基板１５ｃ，１５ｄ（図２参照）に設けられた貫通穴Ｈ１３（図２参照、但し、図２中、回路基板１５ｄの貫通穴Ｈ１３については図示省略）に挿通される、図示しないネジが螺合するようになっている。つまり、回路基板１５ｃ，１５ｄ（図２参照）は、このネジ及びネジ穴Ｔ１５，Ｔ１５を介して第１延出部材１３ａ（連結部材１３）に支持されている。
【００３９】
第２延出部材１３ｂは、図３に示すように、細長い板体で形成されており、第２支持板１２の下端の左寄りの位置に接続されると共に、第１支持板１１に向かって延びた先端が右側に向かって直角に屈曲したＬ字状を呈している。そして、直角に屈曲した部分は、第１延出部材１３ａと交差している。
また、直角に屈曲した部分には、下方から上方に向かってネジＢ２が差し込まれて螺合するネジ穴Ｔ２０が形成されている。なお、ネジＢ２及びネジ穴Ｔ２０は、特許請求の範囲にいう「係止部」に相当する。
このネジＢ２は、第１延出部材１３ａの貫通穴Ｈ１２（但し、図３ではネジＢ２で塞がれている）に挿通されると共にネジ穴Ｔ２０に螺合することで、第１延出部材１３ａを係止する。
【００４０】
また、本実施形態での第２延出部材１３ｂには、回路基板１５ｃを支持するための支持部Ｓ８が形成されている。この支持部Ｓ８は、第２延出部材１３ｂの左縁部から上方に向かって突出する突出片で形成されており、この支持部Ｓ８には、ネジ穴Ｔ１６が形成されている。このネジ穴Ｔ１６には、このネジ穴Ｔ１６に対応する位置で、回路基板１５ｃ（図２参照）に設けられた貫通穴Ｈ１４（図２参照）に挿通される、図示しないネジが螺合するようになっている。つまり、回路基板１５ｃ（図２参照）は、このネジ及びネジ穴Ｔ１６を介して第２延出部材１３ｂ（連結部材１３）に支持されている。
【００４１】
＜天板＞
天板１４は、図３に示すように、平面視で後方に開いた略Ｕ字状を呈している。そして、天板１４の前端縁の左右両側には、前記した貫通穴Ｈ５及び貫通穴Ｈ１６が形成され、その後端縁の左右両側には、貫通穴Ｈ１０及び貫通穴Ｈ１１が形成されている。
また、天板１４は、図２に示すように、その左端縁及び右端縁のそれぞれに回路基板１５ｃ，１５ｄを支持するための支持部Ｓ７，Ｓ７が形成されている。これらの支持部Ｓ７，Ｓ７は、天板１４の左端縁及び右端縁のそれぞれから下方に突出する突出片で形成されている。そして、これらの支持部Ｓ７，Ｓ７には、ネジ穴Ｔ１７，Ｔ１７が形成されている。ネジ穴Ｔ１７，Ｔ１７には、これらのネジ穴Ｔ１７，Ｔ１７に対応する位置で、回路基板１５ｃ，１５ｄに設けられた貫通穴Ｈ１５，Ｈ１５（図２参照）に挿通される、図示しないネジが螺合するようになっている。つまり、回路基板１５ｃ，１５ｄ（図２参照）は、これらのネジ及びネジ穴Ｔ１７，Ｔ１７を介して天板１４に取り付けられ、その結果として、回路基板１５ｃ，１５ｄは、天板１４を介して第１支持板１１及び第２支持板１２に支持されることとなる。
【００４２】
（ハウジング）
ハウジング２は、図１を参照しつつ先に説明したように、外筒部２２と、内筒部２３とで構成されている。
外筒部２２の前側には、レンズカバー２１が取り付けられる。
レンズカバー２１は、図４に示すように、断面が略矩形を呈する筒状体である。レンズカバー２１の前側には、撮像レンズユニット３（図２参照）が臨む前記した開口部２１ａが形成されている。そして、レンズカバー２１の後端には、外筒部２２の内側に印籠嵌合するリブ２１ｂが形成されている。このリブ２１ｂには、前記した貫通穴Ｈ３が形成されている。
【００４３】
外筒部２２は、レンズカバー２１と略同じ外周形状を有する筒状体であって、前記したように、レンズカバー２１が印籠嵌合した際には、レンズカバー２１の外周面と外筒部２２の外周面とは面一となる。
そして、外筒部２２の前側には、前記した貫通穴Ｈ２が形成されている。この貫通穴Ｈ２は、レンズカバー２１が印籠嵌合した際に、レンズカバー２１の貫通穴Ｈ３と対応する位置に形成されている。
【００４４】
内筒部２３は、外筒部２２に内嵌されてこの外筒部２２の軸方向に移動自在の筒状部材で形成されている。本実施形態での内筒部２３は、筒状部材がその周方向に均等幅で４分割されたものであるが、分割されずに一体の筒状部材であってもよい。
この内筒部２３の後側には、前記した貫通穴Ｈ６、貫通穴Ｈ７、貫通穴Ｈ８、及び貫通穴Ｈ９が形成されている。そして、本実施形態での内筒部２３は、貫通穴Ｈ６、貫通穴Ｈ７、貫通穴Ｈ８、及び貫通穴Ｈ９に挿通される、図示しないネジが、前記したように、図３に示すネジ穴Ｔ９、ネジ穴Ｔ１０、ネジ穴Ｔ１１、及びネジ穴Ｔ１２に螺合することで、図３に示す第２支持板１２に固定されると共に筒形状が維持される。
【００４５】
また、内筒部２３の左側面の前端中央には、貫通穴Ｈ４が形成されている。この貫通穴Ｈ４は、後記するように、内筒部２３（図８参照）の全てを外筒部２２（図８参照）の内側に収容してアナログ型監視カメラとしての監視カメラ２００（図８参照）を構成した際に、ネジＢ１（図８参照）を挿通することで、外筒部２２から内筒部２３が抜け出ないようにするためのものである。
【００４６】
（リヤパネル）
リヤパネル２４は、図１に示すように、ハウジング２の後端面を形成する。リヤパネル２４は、前記したように、回路基板１５ｂ（図２参照）に設けられた各端子１６を監視カメラ１００の外部に臨ませる開口部２４ａを有している。
このリヤパネル２４は、図３に示す第２支持板１２の後面に取り付けられる。第２支持板１２に対するリヤパネル２４の取り付け方法としては、例えば、ネジ等で第２支持板１２とリヤパネル２４とを締結する方法が一般的であるが、第２支持板１２とリヤパネル２４とが係合し合う係合片を第２支持板１２及びリヤパネル２４の少なくともいずれかに設ける方法であってもよい。
【００４７】
次に、本実施形態に係る監視カメラ１００の作用効果について説明する。次に参照する図５は、アナログ型監視カメラに適用する回路基板の搭載部の斜視図である。図６は、図５の搭載部に回路基板を搭載した様子を示す斜視図である。図７は、図６の搭載部にハウジングを組み付ける際の様子を示す斜視図である。図８は、本発明の監視カメラ（アナログ型監視カメラ）の斜視図である。
【００４８】
前記したように、従来の監視カメラの構造では、回路規模が変更される際には、ハウジング等を新たに設計し直す必要がある。具体的には、デジタル型監視カメラに要求される機能の多様化に伴って必要な回路基板が増加した際や、アナログ型監視カメラからデジタル型監視カメラの仕様に変更することで必要な回路基板が増加した際、又はデジタル型監視カメラからアナログ型監視カメラの仕様に変更することで回路基板が減少した際に、監視カメラの回路規模が変更される。
【００４９】
以下では、デジタル型監視カメラを構成する監視カメラ１００（図１参照）の構造をアナログ型監視カメラに適用する際の工程を例にとって、本発明の作用効果を説明する。
まず、この工程では、図３に示す搭載部１０におけるネジＢ２が破線で示すように取り外される。そして、第１延出部材１３ａに形成された複数の貫通穴Ｈ１２のうち、最も前寄りの貫通穴Ｈ１２と、第２延出部材１３ｂのネジ穴Ｔ２０とを位置合わせすることによって、図５に示すように、第１支持板１１と第２支持板１２との距離が縮められる。
【００５０】
次に、図５に示すように、ネジＢ２が再び第２延出部材１３ｂのネジ穴Ｔ２０に螺合することで第１支持板１１と第２支持板１２とが連結部材１３によって連結される。
そして、図６に示すように、回路基板１５ａが前記したと同様に、端子板１１ｂ（図５参照）に取り付けられると共に、回路基板１５ｅが第１支持板１１に取り付けられる。
ちなみに、回路基板１５ｅは、アナログ用の回路基板であり、前記したように、図５に示す支持部Ｓ２ｂのネジ穴Ｔ３、及び支持部Ｓ３ｂのネジ穴Ｔ８に対して、図６に示すネジＢ３及びネジＢ４で取り付けられる。
【００５１】
また、図６に示すように、回路基板１５ｆが第２支持板１２（図５参照）の前側に取り付けられる。ちなみに、回路基板１５ｆは、アナログ用の回路基板であり、前記した回路基板１５ｂ（図２参照）と同様に、図５に示すネジ穴Ｔ１９に図示しないネジで取り付けられる。そして、リヤパネル２４が前記したと同様に、第２支持板１２（図５参照）の後面に取り付けられる。
【００５２】
次に、図７に示すように、外筒部２２に内嵌させた状態の内筒部２３が、搭載部１０を覆うように配置される。
そして、内筒部２３の貫通穴Ｈ６、貫通穴Ｈ７、貫通穴Ｈ８（図４参照）及び貫通穴Ｈ９に挿通される、図示しないネジが、図５に示す支持部Ｓ４ａのネジ穴Ｔ９、支持部Ｓ４ｂのネジ穴Ｔ１０、支持部Ｓ４ｃのネジ穴Ｔ１１、及び支持部Ｓ４ｄのネジ穴Ｔ１２に螺合することで、図７に示す内筒部２３が、図５に示す第２支持板１２に取り付けられる。
【００５３】
次に、図８に示すように、リヤパネル２４と外筒部２２とが近接するように、内筒部２３が外筒部２２内に押し入れられ、レンズカバー２１が外筒部２２に印籠嵌合すると、外筒部２２の貫通穴Ｈ２（図７参照）と、レンズカバー２１の貫通穴Ｈ３（図４参照）と、内筒部２３の貫通穴Ｈ４（図４参照）と、支持部Ｓ２ａのネジ穴Ｔ１（図６参照）とが一致する。
その後、貫通穴Ｈ２（図７参照）、貫通穴Ｈ３（図４参照）、及び貫通穴Ｈ４（図４参照）に挿通したネジＢ１（図８参照）をネジ穴Ｔ１（図６参照）に螺合させることで、図８に示す外筒部２２、レンズカバー２１、及び内筒部２３は、第１支持板１１（図６参照）に支持されて、アナログ型監視カメラとしての監視カメラ２００が完成する。
そして、アナログ型監視カメラからデジタル型監視カメラの仕様に変更する際には、前記した工程の逆の工程を辿ればよい。
【００５４】
以上のような監視カメラ１００（図１参照）及び監視カメラ２００（図８参照）によれば、搭載部１０の長さが調節可能になっているので、回路規模が変更された場合においても搭載部１０を設計し直すことなく自在に対応することができる。
その結果、このような監視カメラ１００（図１参照）及び監視カメラ２００（図８参照）によれば、製造コストの低減を達成することができる。
【００５５】
また、このような監視カメラ１００（図１参照）及び監視カメラ２００（図８参照）によれば、ハウジング２の長さが、搭載部１０の長さに応じて調節可能となっているので、搭載部１０に搭載された回路基板１５ａ〜１５ｆを確実に、かつ無駄なスペースを搭載部１０内に作ることなく覆うことができる。
【００５６】
また、このような監視カメラ１００（図１参照）及び監視カメラ２００（図８参照）によれば、アナログ型監視カメラとデジタル型監視カメラとで兼用することができる。
【００５７】
以上、本発明の実施形態について説明したが、本発明は前記実施形態に限定されず、種々の他の形態で実施することができる。
【００５８】
前記実施形態では、ハウジング２が、外筒部２２とこれに内嵌する内筒部２３とで構成されているが、ハウジング２は搭載部１０の長さに応じてその長さが調節可能であれば特に制限はなく、伸縮自在な蛇腹等を使用することもできる。
【００５９】
前記実施形態では、第２延出部材１３ｂはＬ字状に形成されているが、第１延出部材１３ａと同様の棒状部材であってもよい。
【００６０】
前記実施形態では、第１支持部材及び第２支持部材として、板体で構成された第１支持板１１及び第２支持板１２が使用されているが、第１支持部材及び第２支持部材は、ブロック体で構成することもできる。
【００６１】
前記実施形態では、第１延出部材１３ａに複数の貫通穴Ｈ１２を設けたが、第２延出部材１３ｂに複数の貫通穴Ｈ１２を設ける構成であってもよい。
【００６２】
前記実施形態では、連結部材１３が、第１延出部材１３ａ及び第２延出部材１３ｂからなる２部材で構成されているが、連結部材１３は、第１支持板１１及び第２支持板１２のいずれか一方から延びる一体の棒状部材であってもよい。この場合、係止部（被係止部）は、第１支持板１１及び第２支持板１２のいずれか他方、又は連結部材１３に設ければよい。
【符号の説明】
【００６３】
１      カメラ本体
２      ハウジング
１０    搭載部
１１    第１支持板（第１支持部材）
１２    第２支持板（第２支持部材）
１３    連結部材
１３ａ  第１延出部材
１３ｂ  第２延出部材
１５ａ  回路基板
１５ｂ  回路基板
１５ｃ  回路基板
１５ｄ  回路基板
１５ｅ  回路基板
１５ｆ  回路基板
２２    外筒部
２３    内筒部
１００  監視カメラ
２００  監視カメラ
Ｂ２    ネジ（係止部）
Ｈ１２  貫通穴（被係止部）
Ｔ２０  ネジ穴（係止部）
【図１】
0005389760.tif 000002
【図２】
0005389760.tif 000003
【図３】
0005389760.tif 000004
【図４】
0005389760.tif 000005
【図５】
0005389760.tif 000006
【図６】
0005389760.tif 000007
【図７】
0005389760.tif 000008
【図８】
0005389760.tif 000009